(57)【特許請求の範囲】
【請求項１】
浴槽部と、浴槽部の上端縁から外側に張り出すように設けられた框部と、框部から下方に前記浴槽部の底より少し高い位置まで延出し、前記浴槽部の周壁との間に浴槽に用いる機能部品の配設空間を形成するエプロン部とを備える浴槽本体と、
浴槽パンに設けられた床下作業用孔に下端部が水密にはまり込み、上端部が浴槽パンの底面から上側に少し突出し、上端部で前記エプロン部の下端部を水密に支持する皿状をした浴槽下部部材とを備え、
前記エプロン部が、その一部に開口部を有するとともに、この開口部を水密かつ開閉自在に覆う蓋を備えていることを特徴とする浴槽。
【請求項２】
浴槽パンが、洗い場パン接続部を除く部分に、壁パネルの下端を下方から支持する壁パネル支持部を有するとともに、この壁パネル支持部と離れた位置に床下作業用孔を備え、請求項１に記載の浴槽が、浴槽下部部材を前記床下作業用孔に水密にはめ込んだ状態で設置されるとともに、機能部品が配設空間内に配管されていることを特徴とする浴室ユニット。
【発明の詳細な説明】
【技術分野】
【０００１】
本発明は、浴槽およびこの浴槽を備える浴室ユニットに関する。
【背景技術】
【０００２】
従来から、図７に示すような防水パン１１０と、浴槽１２０とを備えている浴室ユニット１００が上市されている（特許文献１参照）。
図７に示すように、防水パン１１０は、洗い場部１１１と、立ち上がり壁１１２と、浴槽受部１１３とを備えている。
【０００３】
立ち上がり壁１１２は、洗い場部１１１の浴槽受部１１３側の端縁から浴槽１２０の跨ぎ込み高さとほぼ同じ高さまで立ち上がるように設けられている。
浴槽受部１１３は、立ち上がり壁１１２の上端縁から洗い場部１１１に対して逆側に張り出すように設けられていて、浴槽１２０の浴槽部１２１が嵌り込む大きさの開口１１４を備え、開口１１４の周囲が浴槽１２０のフランジ部１２２を受けるようになっている。
【０００４】
しかし、上記浴室ユニット１００の場合、浴槽１２０を設置する場合、浴槽１２０の浴槽部１２１の底面が立ち上がり壁１１２の上まで吊り上げるあるいは持ち上げなければならず、組み立て作業性がわるい。
また、追い焚き配管などの機能部品の浴槽部１２１への接続部が床下にそのまま露出しているため、接続部での止水不良によって漏水がおきると、建物躯体側へ水漏れしてしまうことがある。
【０００５】
一方、図８に示すような、浴室ユニット２００が提案されている(特許文献２)。
この浴室ユニット２００は、浴槽パン２１０に、浴槽２２０の底部の形状にならった形状を有する凹状の浴槽底部収容凹部２１１が設けられている。また、この浴槽底部収容凹部２１１の上端部の周りに、浴槽底部収容凹部２１１の底部よりも一段高い固定用段部２１２が形成されている。
【０００６】
そして、浴槽２２０には、浴槽壁部の外壁の下方側がその全周に亘って内側にくぼんで、前記固定用段部２１２と相補形状をなす段部２２１が形成されている。
また、この浴槽ユニット２００は、浴槽２２０の底部が浴槽底部収容凹部２１１に入り込んだ状態において、段部２２１が固定用段部２１２の上側に嵌合している。したがって、浴槽２２０は、その底部を除く、エプロンが設けられていない浴槽部の外壁が浴室内に露出した状態で浴槽パン２１０に取り付けられるようになっている。
【０００７】
すなわち、この浴室ユニット２００の場合、上記浴室ユニット１００のように、浴槽設置の際に浴槽２２０を浴槽２２０の跨ぎ込み高さ以上の持ち上げるという必要がないので、設置作業性がよい。
さらに、この浴室ユニット２００の場合、浴槽２２０は、その底部を除く大部分が、浴室内に突出しているので、追い焚き配管２３０を浴室内で浴槽壁面に接続するようになっている。したがって、追い焚き配管２３０の浴槽２２０との接続部において漏水が発生しても建物躯体側へ水漏れすることがない。
【先行技術文献】
【特許文献】
【０００８】
【特許文献１】特開平７−２５０７７３号公報
【特許文献２】特許第４４６９３２３号公報
【発明の概要】
【発明が解決しようとする課題】
【０００９】
しかしながら、上記浴室ユニット２００の場合、追い焚き配管２３０が浴室内に立ち上がっているので、見栄えがわるい。したがって、通常は、これらの配管２３０を覆い隠すボックス（図示ぜず）を浴槽２２０に沿う壁面との隙間を塞ぐように設けるようになっており、壁面の浴槽２２０の上端より下の部分に窓を設ける等ができない。すなわち、浴室の意匠に制約がある。
また、上記浴室ユニット２００の場合、浴槽底部収容凹部２１１に浴槽２２０に底部を嵌合させて設置が完了したのちには、浴槽部の下側に手を入れることができず、浴槽部下側での浴槽２２０と浴槽底部収容凹部２１１とを隠蔽箇所でビス止め等強固な固定を行うことができない。
さらに、上記浴室ユニット２００の浴槽２２０の場合、ポップアップ排水栓などの機能部品を取りつけができないという問題もある。
【００１０】
本発明は、上記事情に鑑みて、浴槽設置の際に、浴槽を高く吊り上げる必要がなく、設置作業が容易であるとともに、浴槽に設けられる機能部品が浴槽周囲に飛び出さない浴槽およびこの浴槽を備える浴室ユニットを提供することを目的としている。
【課題を解決するための手段】
【００１１】
上記目的を達成するために、本発明にかかる浴槽は、浴槽部と、浴槽部の上端縁から外側に張り出すように設けられた框部と、框部から下方に前記浴槽部の底より少し高い位置まで延出し、前記浴槽部の周壁との間に浴槽に用いる機能部品の配設空間を形成するエプロン部とを備える浴槽本体と、浴槽パンに設けられた床下作業用孔に下端部が水密にはまり込み、上端部が浴槽パンの底面から上側に少し突出し、上端部で前記エプロン部の下端部を水密に支持する皿状をした浴槽下部部材とを備え、前記エプロン部が、その一部に開口部を有するとともに、この開口部を水密かつ開閉自在に覆う蓋を備えていることを特徴としている。
【００１２】
本発明において機能部品とは、特に限定されないが、たとえば、浴槽部内に足し湯や足し水をする給湯給水配管、追い焚き配管、気泡供給配管、ポップアップ排水栓装置等が挙げられる。
【００１３】
本発明にかかる浴室ユニットは、浴槽パンが、洗い場パン接続部を除く部分に、壁パネルの下端を下方から支持する壁パネル支持部を有するとともに、この壁パネル支持部と離れた位置に床下作業用孔を備え、上記本発明の浴槽が、浴槽下部部材を前記床下作業用孔に水密にはめ込んだ状態で設置されるとともに、機能部品が配設空間内に配管されていることを特徴としている。
【発明の効果】
【００１４】
本発明にかかる浴槽は、浴槽部と、浴槽部の上端縁から外側に張り出すように設けられた框部と、框部から下方に前記浴槽部の底より少し高い位置まで延出し、前記浴槽部の周壁との間に浴槽に用いる機能部品の配設空間を形成するエプロン部とを備える浴槽本体と、浴槽パンに設けられた床下作業用孔に下端部が水密にはまり込み、上端部が浴槽パンの底面から上側に少し突出し、上端部で前記エプロン部の下端部を水密に支持する皿状をした浴槽下部部材とを備え、前記エプロン部が、その一部に開口部を有するとともに、この開口部を水密かつ開閉自在に覆う蓋を備えているので、浴槽設置の際に、浴槽を高く吊り上げる必要がなく、設置作業が容易であるとともに、浴槽に設けられる機能部品が浴槽周囲に飛び出さない状態に施工できる。
【００１５】
本発明にかかる浴室ユニットは、浴槽パンが、洗い場パン接続部を除く部分に、壁パネルの下端を下方から支持する壁パネル支持部を有するとともに、この壁パネル支持部と離れた位置に床下作業用孔を備え、本発明の浴槽が、浴槽下部部材を前記床下作業用孔に水密にはめ込んだ状態で設置されるとともに、機能部品が配設空間内に配管されているので、浴槽の周壁と周囲の壁パネルとの間に隙間が形成され、壁の浴槽の上端より下側にも窓を設けることができるなど、浴室内の意匠の選択性が高くなる。
【図面の簡単な説明】
【００１６】
【図１】本発明にかかる浴室ユニットの１つの実施の形態をあらわす浴室内側の斜視図である。
【図２】図１の浴室ユニットの、浴槽の分解状態の斜視図である。
【図３】図１の浴室ユニットの、浴槽部分を浴槽長手方向に平行な面で切断した断面図である。
【図４】図１の浴室ユニットの、浴槽部分を浴槽長手方向に直交する面で切断した断面図である。
【図５】図３の左側部分の拡大図である。
【図６】図３の右側部分の拡大図である。
【図７】従来の浴室ユニットの分解斜視図である。
【図８】公知の浴室ユニットの浴槽設置部の断面図である。
【発明を実施するための形態】
【００１７】
以下に、本発明を、その実施の形態をあらわす図面を参照しつつ詳しく説明する。
図１は、本発明にかかる浴室ユニットの１つの実施の形態をあらわしている。
【００１８】
図１に示すように、この浴室ユニット１は、洗い場パン１１と、浴槽パン１２と、浴槽４と、を備えている。
浴槽パン１２は、洗い場パン接続部を除く部分に、３方で壁パネル（ドア枠や窓枠を含む）１３ａの下端を下方から支持することによって浴室の壁面１３を形成するともに、この壁パネル支持部と離れた位置に床下作業用孔１２ａを中央部に有する浴槽受部１２ｂを備えている。
【００１９】
床下作業用孔１２ａは、後述する浴槽下部部材４２の部材本体４２ｃが嵌り込む大きさをしている。
【００２０】
浴槽４は、浴槽本体４１と、浴槽下部部材４２とを備えている。
浴槽下部部材４２は、繊維強化不飽和ポリエステル等の繊維強化樹脂成形体であって、図３〜図６に示すように、皿状をした部材本体４２ｃと、部材本体４２ｃの上端縁から外側に延出するフランジ状の浴槽パン固定部４２ａを備えている。
【００２１】
そして、浴槽下部部材４２は、図３〜図６に示すように、部材本体４２ｃを床下作業用孔１２ａ内に臨ませるとともに、浴槽パン固定部４２ａを，パッキン４８を介して浴槽受部１２ｂに受けさせ、固定ビス４９を浴槽パン固定部４２ａ側から浴槽受部１２ｂにねじ込むことによって、浴槽パン固定部４２ａにおいて浴槽パン１２に水密に固定されている。
上記固定状態において、浴槽パン１２の床面１２０から浴槽下部部材４２の浴槽パン固定部４２ａの上端までの高さは５〜１０ｃｍである。
【００２２】
また、浴槽下部部材４２は、図３に示すように、その底に排水トラップ５に接続される排水孔４２ｂを備えている。
排水孔４２ｂには、中央に後述する排水管４４が水密に接続される接続孔を有するキャップ５１がはめ込まれている。
また、キャップ５１は、排水トラップ５側の水位が上昇してきたときに閉鎖するフロート弁付きの小さな排水孔を備え、万一浴槽下部部材４２内で水漏れが生じた場合でも浴槽下部部材４２内の水を排水トラップ５側へ排水できるようになっている。
【００２３】
浴槽本体４１は、繊維強化不飽和ポリエステル等の繊維強化樹脂成形体であって、入浴部である浴槽部４１ａと、框部４１ｂと、エプロン部４１ｃとを備えている。
浴槽部４１ａは、その底に排水口４１１を備えている。
【００２４】
框部４１ｂは、浴槽部４１ａの上端縁から外側に張り出すように設けられている。
エプロン部４１ｃは、図２〜図６に示すように、框部４１ｂの外縁から下方に延出している。すなわち、浴槽部４１ａとエプロン部４１ｃとの間には、機能部品の配設空間Ｓが形成されている。
【００２５】
また、エプロン部４１ｃは、浴槽４の長手方向の両側に他の部分より窪んだ開口部４１ｄを備えるとともに、この開口部４１ｄを覆う蓋４１ｅを備え、下端部がパッキン４７を介して浴槽パン固定部４２ａに水密状態で載置されている。
開口部４１ｄは、その下端側に、後述する蓋４１ｅの下側係止金具４１ｈが弾性係合するステンレス鋼などから形成された係合金具４１ｊが一体に設けられている。
【００２６】
蓋４１ｅは、開口部４１ｄを覆うとともに、開口部４１ｄ周縁に圧接されるパッキン４１ｇ，４１ｉを開口部４１ｄ周縁に対向するように備えている。
また、蓋４１ｅは、その上端に開口部４１ｄに上縁部に弾性係合するステンレス鋼などから形成された係止爪４１ｆを備え、その下端にステンレス鋼などから形成された下側係止金具４１ｈが設けられている。
【００２７】
配設空間Ｓ内には、図３および図５に示すように、機能部品としての追い焚き配管４５、排水管４４、ポップアップ水栓装置４３が配設されている。
排水管４４は、一端が排水口４１１に接続され、他端がキャップ５１を介して排水トラップ５内に臨んでいる。
追い焚き配管４５は、追い焚き口４５ａに接続されている。
ポップアップ水栓装置４３は、操作ボタン４３ａを操作することによって、水栓本体４３ｂが排水口４１１を開閉するようになっている。
【００２８】
洗い場パン１１は、その床面が浴槽パン１２の床面とほぼ段差のない状態で接続されている。
なお、浴槽パン１２と洗い場パン１１とは、洗い場パン１１をまず設置部に設置したのち、浴槽４を設置していない状態で浴槽パン１２を設置し、床下作業用孔１２ａから作業者が手や体の一部を床下に臨ませて固定ボルトナットを締めこむことによって連結される。
【００２９】
また、この浴室ユニット１は、図１に示すように、浴槽４の、浴槽パン１２の洗い場パン１１との接続部と反対側面に対面する壁面１３に、窓１５が設けられているとともに、この窓１５を挟むように壁面１３の両側に間接照明装置２が設けられている。
窓１５は、図１では、浴槽４で隠れて見えないが、その下端が浴槽４の上端より低い位置にある。
間接照明装置２は、図示していないが、ＬＥＤなどの光源の、浴槽４に向かう側が遮光性のカバーで覆われ、光源からの光がそれぞれ他方の間接照明装置２側に向かってライン状に照射される壁面１３に固定されている。
【００３０】
図１中、１４は天井、１１ｂは排水口１１ａの蓋である。
【００３１】
この浴室ユニット１は、上記のように、浴槽４が、浴槽本体４１と、浴槽下部部材４２とからなり、まず、浴槽下部部材４２を浴槽パン１２に固定したのち、浴槽本体４１を浴槽下部部材４２上に設置するようになっているので、浴槽設置の際、浴槽本体４１を跨ぎこみ高さより５〜１０ｃｍ持ち上げるだけで浴槽４の設置作業を完了させることができるので、作業性がよい。
【００３２】
また、機能部品の配設空間Ｓを浴槽部４１ａとエプロン部４１ｃおよび浴槽下部部材４２との間に備えているので、追い焚き配管４５、排水管４４やポップアップ水栓装置４３が浴槽４の外壁から浴室内に露出することがない。
したがって、浴槽４と壁面１３との間に隙間が確保でき、窓１５等を壁面１３の所望の位置に自由に取り付けることができる。
【００３３】
また、追い焚き配管等から漏水があっても浴槽下部部材４２によって受けられてキャップ５１に設けられたフロート弁付き排水孔を介して排水トラップ５側に排水され、床下に排水がもれることがない。
さらに、浴槽パン１２と洗い場パン１１との間に段差がないため、ドアを浴槽パン１２と洗い場パン１１に設けるなど、ドアの取り付け位置を自由に選択することができる。
【００３４】
また、エプロン部４１ｃが蓋４１ｅを備えた開口部４１ｄを備え、蓋４１ｅを開放すれば、浴室内から配設空間Ｓ内を臨めるので、浴槽４を設置したのちでも、追い焚き配管４５、排水管４４やポップアップ水栓装置４３の設置作業および点検作業や浴槽本体４１と浴槽下部部材４２との接続部の点検作業等を行うことができる。
【００３５】
本発明は、上記の実施の形態に限定されない。たとえば、ジェット噴流を起こさせる気泡を浴槽部内に供給するエアー配管等を機能部品配設空間に設けるようにしてよい。
上記の実施の形態では、開口部がエプロン部に２つ設けられていたが、１つでも構わないし、３つ以上設けるようにしても構わない。
上記の実施の形態では、浴槽パン１２と洗い場パン１１との接続部に段差がなかったが、少し段差を設けるようにしても構わない。
【符号の説明】
【００３６】
１  浴室ユニット
１１  洗い場パン
１２  浴槽パン
１３ａ  壁パネル
１２ａ  床下作業用孔
４  浴槽
４１ 浴槽本体
４１ａ  浴槽部
４１ｂ  框部
４１ｃ  エプロン部
４１ｄ  開口部
４１ｅ  蓋
４３  ポップアップ水栓装置(機能部品)
４４  排水管(機能部品)
４５  追い焚き配管(機能部品)
Ｓ  配設空間
【図１】
0005769306.tif 000002
【図２】
0005769306.tif 000003
【図３】
0005769306.tif 000004
【図４】
0005769306.tif 000005
【図５】
0005769306.tif 000006
【図６】
0005769306.tif 000007
【図７】
0005769306.tif 000008
【図８】
0005769306.tif 000009